(57)【要約】【課題】接合部材の一方側から他方側へ向けてボルト孔を開けたときに、他方側のボルト孔の縁部に生じるバリを一方側から操作して切削除去するバリ取り機を提供する。【解決手段】バリ取り機１１は、ボルト孔の孔径に対応した太さの筒状のバイトホルダー１２と、バイトホルダーの一端部に設けられ電動回転レンチのソケットと係合する軸部１３と、バイトホルダーの他端部に設けられバリの切削屑を吸着する第１磁石部材１４と、バイトホルダーの周面の一方に長手方向に配設され、外側に付勢されて突出しており内部に押込可能な切削用の山形部１５を有する山形バイト部材１６と、バイトホルダーの周面の他方に長手方向に配設され外側に突出可能及び内部に収納可能な長形状の切削用の平形バイト１７と、山形部の近傍に設けられバリの切削屑を吸着する第２磁石部材とから構成される。【選択図】図５
0003204726.tif 000002
【実用新案登録請求の範囲】
【請求項１】
ボルト接合を行う場合において、接合部材の一方側から他方側へボルト孔を開けたときに、他方側の前記ボルト孔の縁部に生じるバリを一方側から操作して切削除去するバリ取り機であって、
該バリ取り機は、
前記ボルト孔の孔径に対応した太さの筒状のバイトホルダーと、
該バイトホルダーの一端部に設けられ電動回転レンチの回動部と係合する軸部又は受部と、
前記バイトホルダーの他端部に設けられバリの切削屑を吸着する第１磁石部材と、
前記バイトホルダーの周面の一方に長手方向に配設され、外側に付勢されて突出しており内部に押込可能な切削用の山形部を有する山形バイト部材と、
前記バイトホルダーの周面の他方に長手方向に配設され外側に突出可能及び内部に収納可能な長形状の切削用の平形バイトと、
前記山形部の近傍に設けられバリの切削屑を吸着する第２磁石部材と、を少なくとも備えること
を特徴とするバリ取り機。
【請求項２】
前記山形バイト部材は、基部と、該基部に一体に連設される長尺なスプリング鋼部と、該スプリング鋼部に一体に連設される前記山形部とからなり、前記基部にストッパー兼用固定ネジを押圧して前記バイトホルダーの内部に取り付ける構成であること
を特徴とする請求項１に記載のバリ取り機。
【請求項３】
前記平形バイトは、両方の端部に有するネジ孔にネジを挿着して前記バイトホルダーの内部に配設されると共に、前記ネジ孔の孔径が前記ネジの軸径よりも大きめに形成されていること
を特徴とする請求項１に記載のバリ取り機。
【請求項４】
前記第２磁石部材の周囲は、バリの切削屑を貯留する凹部が形成されていること
を特徴とする請求項１に記載のバリ取り機。
【考案の詳細な説明】
【技術分野】
【０００１】
本考案は、ボルト接合を行う場合において、鉄板等の接合部材の一方側から他方側へ向けてボルト孔を開けたときに、他方側のボルト孔の縁部に生じるバリを一方側から操作して切削除去するバリ取り機に関するものである。
【背景技術】
【０００２】
従来のバリ取り機としては、実開平１−９９５２９号公報の第８図（ａ）及び（ｂ）に開示された構成のバリ取り工具が知られている（以下、従来例１と称する）。この従来例１のバリ取り工具は、工具の先端部に切刃保持部が設けられており、切刃保持部の内部には、バネで接続された一対の切刃部を備えている。切刃部は縦長の形状で、その上下両端にはテーパー状の切り刃が形成されている（特許文献１参照）。
【０００３】
このような構成の従来例１のバリ取り工具は、切刃部を孔部の外側に挿通させると、バネの作用で切刃部が突出して、テーパー状の切り刃が孔部のバリに接触する。そして、バリ取り工具を回転させて、切り刃でバリを切削する。
【０００４】
また、従来のバリ取り機として、実開平１−９９５２９号公報の第３図（ａ）から（ｃ）に開示された構成のバリ取り工具が知られている（以下、従来例２と称する）。この従来例２のバリ取り工具は、工具の先端部に形成した切刃保持部と、切刃保持部に保持される切刃部と、切刃部の温度調節手段とを備えた構成であり、切刃部が所定温度になると予め記憶されているバリ取り可能な形状に変形する形状記憶合金で形成されている（特許文献１参照）。
【０００５】
このような構成の従来例２のバリ取り工具は、切刃部を孔部の外側に挿通させてから、温度調節手段を操作して切刃部の形状を変形させて、孔部のバリに接触させる。そして、バリ取り工具を回転させて、切刃部でバリを切削する。
【先行技術文献】
【特許文献】
【０００６】
【特許文献１】実開平１−９９５２９号公報（第３図（ａ）（ｂ）（ｃ）、第８図（ａ）（ｂ））
【考案の概要】
【考案が解決しようとする課題】
【０００７】
この従来例１のバリ取り工具においては、孔の内周面に生じたバリや黒皮等を切削除去できないという欠点がある。
また、縦長の切刃部をバネの力で切刃保持部から突出させる構造なので、切刃保持部は一定の長さが必要であり、その結果バリ取り工具が長大化するという欠点もある。
【０００８】
従来例２のバリ取り工具においては、従来例１の場合と同様に、孔の内周面に生じたバリや黒皮等を切削除去できないという欠点がある。
また、切刃部を変形するための温度調節手段が必要であり、工具の製品コストが上がって価格が高くなるだけでなく、作業には温度調節手段を操作する手間が掛かるという欠点もある。
【０００９】
従って、従来例１及び従来例２におけるバリ取り工具においては、孔の内周面に生じたバリ、黒皮等を切削除去することと、作業効率を向上させること等に解決しなければならない課題を有している。
【課題を解決するための手段】
【００１０】
前記従来例の課題を解決するための本考案の要旨は、ボルト接合を行う場合において、接合部材の一方側から他方側へボルト孔を開けたときに、他方側の前記ボルト孔の縁部に生じるバリを一方側から操作して切削除去するバリ取り機であって、該バリ取り機は、前記ボルト孔の孔径に対応した太さの筒状のバイトホルダーと、該バイトホルダーの一端部に設けられ電動回転レンチの回動部と係合する軸部又は受部と、前記バイトホルダーの他端部に設けられバリの切削屑を吸着する第１磁石部材と、前記バイトホルダーの周面の一方に長手方向に配設され、外側に付勢されて突出しており内部に押込可能な切削用の山形部を有する山形バイト部材と、前記バイトホルダーの周面の他方に長手方向に配設され外側に突出可能及び内部に収納可能な長形状の切削用の平形バイトと、前記山形部の近傍に設けられバリの切削屑を吸着する第２磁石部材と、を少なくとも備えることである。
【００１１】
また、前記山形バイト部材は、基部と、該基部に一体に連設される長尺なスプリング鋼部と、該スプリング鋼部に一体に連設される前記山形部とからなり、前記基部にストッパー兼用固定ネジを押圧して前記バイトホルダーの内部に取り付ける構成であること、；
前記平形バイトは、両方の端部に有するネジ孔にネジを挿着して前記バイトホルダーの内部に配設されると共に、前記ネジ孔の孔径が前記ネジの軸径よりも大きめに形成されていること、；
前記第２磁石部材の周囲は、バリの切削屑を貯留する凹部が形成されていること、；
を含むものである。
【考案の効果】
【００１２】
本考案に係るバリ取り機によれば、バイトホルダーをボルト孔の上部側から挿入して、山形部をボルト孔の下部側に突き出すと、スプリング鋼部の付勢力で山形部が外側に突出してボルト孔の縁部に当接する。そして、電動回転レンチを駆動してバイトホルダーを回転すると、山形部がボルト孔の縁部のバリを切削除去する。
また、バイトホルダーの回転による遠心力で、平形バイトが外側に突出して、ボルト孔の内周面に生じたバリ、黒皮、錆を切削除去する。
これらの切削時に発生したバリ等の切削屑は、第１磁石部材に吸着されて凹状部に貯留し、あるいは第２磁石部材に吸着されて凹部に貯留するので飛散しない。
このようにバリ取り機は、接合部材の他方側のボルト孔の縁部にあるバリを、一方側から作業を行って切削除去すると同時に、ボルト孔の内周面にあるバリ等を切削除去することができるので、作業効率が極めて良好であるという優れた効果を奏する。
【００１３】
山形バイト部材は、基部と、基部に一体に連設される長尺なスプリング鋼部と、スプリング鋼部に一体に連設される山形部とからなり、基部にストッパー兼用固定ネジを押圧してバイトホルダーの内部に取り付ける構成であることによって、スプリング鋼部が板バネの役目を果たすので、山形部が外側に付勢されて突出すると共に、山形部をバイトホルダーの内部に押し込むことが可能である。
即ち、バイトホルダーをボルト孔に挿入した時には、山形部がボルト孔の内周面に圧接した状態になってバイトホルダーの内部に押し込まれる。また、山形部をボルト孔の下部側に突き出すと、山形部が外側に突出してボルト孔の縁部に当接する。
さらに、ストッパー兼用固定ネジは、ストッパーの役目を果たすので、ボルト孔の上部側の縁部に引っ掛かって、バリ取り機が接合部材の他方側（下部側）へ落下することを防いでいるという種々の優れた効果を奏する。
【００１４】
平形バイトは、両方の端部に有するネジ孔にネジを挿着してバイトホルダーの内部に配設されると共に、ネジ孔の孔径がネジの軸径よりも大きめに形成されていることによって、平形バイトがネジを中心にしてネジ孔の範囲内で遊動することができる。その結果、バイトホルダーが回転した時にその遠心力で平形バイトが外側に突出することとなり、当該平形バイトがボルト孔の内周面のバリ等を切削除去するという優れた効果を奏する。
【００１５】
第２磁石部材の周囲は、バリの切削屑を貯留する凹部が形成されていることによって、山形部が切削したボルト孔の縁部のバリの切削屑が第２磁石部材に吸着されて凹部に貯留するので、切削屑が飛散しないという優れた効果を奏する。
【図面の簡単な説明】
【００１６】
【図１】本考案に係るバリ取り機１１の正面図である。
【図２】本考案に係るバリ取り機１１の右側面である。
【図３】本考案に係るバリ取り機１１の左側面である。
【図４】本考案に係るバリ取り機１１の背面図である。
【図５】図２のＡ−Ａ線断面図である。
【図６】バリ取り機１１の山形バイト部材１６と平形バイト１７とを分離して示す断面図である。
【図７】バリ取り機１１の使用状態を示す説明図である。
【図８】バリ取り機１１の使用状態を示す説明図である。
【図９】バリ取り機１１の使用状態を示す説明図である。
【図１０】第２実施例に係るバリ取り機４１の使用状態を示す説明図である。
【考案を実施するための形態】
【００１７】
次に、本考案の実施の形態について図面を参照しながら説明する。まず、図１から図６において、符号１１はバリ取り機を示し、このバリ取り機１１は、筒状のバイトホルダー１２と、バイトホルダー１２の一端部に設けられる軸部１３と、バイトホルダー１２の他端部に設けられる第１磁石部材１４と（図５及び図６参照）、バイトホルダー１２の周面の一方に長手方向に配設され切削用の山形部１５を有する山形バイト部材１６と、バイトホルダー１２の周面の他方に長手方向に配設される切削用の平形バイト１７と、山形部１５の近傍に設けられる第２磁石部材１８とから構成される。
【００１８】
バリ取り機１１は、ボルト接合の作業を行う場合において、接合部材１９の一方側１９ａ（図７乃至図９においては上部側）から他方側１９ｂ（図７乃至図９においては下部側）へ向けてボルト孔２０を開けたときに、他方側１９ｂのボルト孔２０の縁部に生じるバリ２１を一方側１９ａから操作して切削除去するバリ取り機である（図７から図９参照）。
なお、バリ取り機１１は、ボルト接合の作業を行うボルト孔２０の孔径に対応する太さのバイトホルダー１２のものを適宜選択して使用する。
【００１９】
バイトホルダー１２は、筒状に形成されて所要の長さを有している。また、上述のように、バイトホルダー１２はボルト接合の作業を行うボルト孔２０の孔径に対応する太さのものが適宜選択される。
【００２０】
軸部１３は、バイトホルダー１２の一端部に設けられて所要の長さである。また、軸部１３は、電動回転レンチ２２の回動部（ソケット）２３と係合して、その駆動時には回転力をバイトホルダー１２に伝達する（図７から図９参照）。
【００２１】
第１磁石部材１４は、円筒状に形成されており、バイトホルダー１２の他端部の内部に設けられている。また、第１磁石部材１４とバイトホルダー１２の先端部１２ａとの間には、凹状部２４を備えている（図５及び図６参照）。
第１磁石部材１４は、山形バイト部材１６の山形部１５が切削したバリ２１の切削屑を吸着する役目を果たすと共に、平形バイト１７が切削したボルト孔２０の内周面のバリ、黒皮、錆の切削屑を吸着する役目を果たす。それらの切削屑は凹状部２４に貯留する。
【００２２】
山形バイト部材１６は、基部２５と、基部２５に一体に連設される長尺なスプリング鋼部２６と、スプリング鋼部２６に一体に連設される切削用の山形部１５とからなり、基部２５のネジ受部２５ａにストッパー兼用固定ネジ２７を押圧してバイトホルダー１２の内部に取り付ける構成である（図５及び図６参照）。
この場合、スプリング鋼部２６が板バネの役目を果たすので、山形部１５が外側に付勢されて突出していると共に、山形部１５をバイトホルダー１２の内部に押し込むことが可能である（図５の矢印Ｅ参照）。
【００２３】
つまり、バイトホルダー１２をボルト孔２０に挿入した時には、山形部１５がボルト孔２０の内周面に圧接した状態になってバイトホルダー１２の内部に押し込まれる。また、山形部１５をボルト孔２０の下部側に突き出すと、山形部１５が外側に突出してボルト孔２０の縁部に当接する。
【００２４】
さらに、ストッパー兼用固定ネジ２７は、ストッパーの役目を果たす。つまり、ストッパー兼用固定ネジ２７は、ボルト孔２２の上部側の縁部に引っ掛かるので、バリ取り機１１が接合部材１９の他方側（下部側）１９ｂへ不用意に落下することを防いでいる。
【００２５】
平形バイト１７は、縦長形状で平板状に形成されており、外側部分１７ｂでバリ等を切削できるようになっている。また、平形バイト１７の両方の角部１７ａはＲ形状に形成されており、ボルト孔２０の縁部に当接した時に引っ掛からないようになっている（図５及び図６参照）。
【００２６】
また、平形バイト１７は、両方の端部に有するネジ孔２８にネジ２９を挿着してバイトホルダー１２の内部に配設されると共に、ネジ孔２８の孔径がネジ２９の軸径よりも大きめに形成されている（図５及び図６参照）。従って、平形バイト１７がネジ２９を中心にしてネジ孔２８の範囲内で遊動できる。その結果、バイトホルダー１２が回転した時にその遠心力で平形バイト１７が外側に突出するので、当該平形バイト１７がボルト孔２０の内周面のバリ、黒皮、錆を切削除去できる。
なお、図６において符号３１は、ネジ２９が螺着する雌ネジ部を示し、雌ネジ部３１はバイトホルダー１２の内部に形成されている。
【００２７】
第２磁石部材１８は、球状に形成されており、山形部１５の近傍に設けられる。また、第２磁石部材１８の周囲には、凹部３０が形成されている。山形部１５が切削したボルト孔２０の縁部のバリ２１の切削屑は、第２磁石部材に吸着されて凹部３０に貯留する。
【００２８】
以上のように構成されるバリ取り機１１は、バイトホルダー１２をボルト孔２０の上部側から挿入する（図７の矢印Ｂ参照）。このようにバイトホルダー１２をボルト孔２０に挿入すると、山形部１５がボルト孔２０の内周面に圧接した状態になってバイトホルダー１２の内部に押し込まれる。
【００２９】
そして、山形部１５をボルト孔２０の下部側に突き出すと、スプリング鋼部２６の付勢力で山形部１５が外側に突出してボルト孔２０の縁部に当接する（図８参照）。そして、電動回転レンチ２２を駆動してバイトホルダー１２を回転すると（図８の矢印Ｃ参照）、山形部１５がボルト孔２０の縁部のバリ２１を切削除去する（図８参照）。この時に発生したバリ２１の切削屑は、第２磁石部材に吸着されて凹部３０に貯留し、または第１磁石部材１４に吸着されて凹状部２４に貯留するので飛散しない。
【００３０】
また、バイトホルダー１２の回転による遠心力で、平形バイト１７が外側に突出して（図８参照）、ボルト孔２０の内周面に生じたバリ、黒皮、錆を切削除去する。この時に発生したバリ等の切削屑は、第２磁石部材１８に吸着されて凹部３０に貯留し、または第１磁石部材１４に吸着されて凹状部２４に貯留するので飛散しない。
【００３１】
バリ２１の切削除去作業が終了した後には、バリ取り機１１をボルト孔２０の上部側に引き出す（図９参照の矢印Ｄ参照）。この時は、平形バイト１７がボルト孔２０の内周面に接触して内部に収納されると共に、山形部１５がボルト孔２０の内周面に圧接した状態になってバイトホルダー１２の内部に押し込まれる（図９参照）。
【００３２】
このようにバリ取り機１１は、接合部材１９の他方側１９ｂのボルト孔２０の縁部にあるバリ２１を、一方側１９ａから作業を行って切削除去することができる。そして、ボルト孔２０の縁部のバリ２１を切削除去すると同時に、ボルト孔２０の内周面にあるバリ等を切削除去することができるので、作業効率が極めて良好である。
【００３３】
次に、図１０に示す第２実施例のバリ取り機４１について説明する。バリ取り機４１については、前記の第１実施例と同一部分には同一符号を付してその詳細は省略する。
【００３４】
バリ取り機４１は、バイトホルダー１２の一端部にソケット形のストッパー兼用受部材４２が設けられており、このストッパー兼用受部材４２の内部には、図１０において破線で示す受部４２ａが形成されている。
【００３５】
受部４２ａは、バッテリーインパクト４３等の低背な電動レンチの回動部４４と係合が可能であり、その駆動時には回転力をバイトホルダー１２に伝達する。従って、作業空間が狭い短尺な作業場所であっても、バリ取り機４１を使用できる利点がある。
【００３６】
また、ストッパー兼用受部材４２は、前記第１実施例のストッパー兼用固定ネジ２７と同様に、その縁部４２ｂがストッパーの役目を果たすので、ボルト孔２２の上部側の縁部に引っ掛かって、バリ取り機４１が接合部材１９の他方側（下部側）１９ｂへ不用意に落下することを防いでいる。
【符号の説明】
【００３７】
１１  バリ取り機
１２  バイトホルダー
１２ａ先端部
１３  軸部
１４  第１磁石部材
１５  山形部
１６  山形バイト部材
１７  平形バイト
１７ａ角部
１７ｂ外側部分
１８  第２磁石部材
１９  接合部材
１９ａ一方側（上部側）
１９ｂ他方側（下部側）
２０  ボルト孔
２１  バリ
２２  電動回転レンチ
２３  回動部（ソケット）
２４  凹状部
２５  基部
２５ａネジ受部
２６  スプリング鋼部
２７  ストッパー兼用固定ネジ
２８  ネジ孔
２９  ネジ
３０  凹部
３１  雌ネジ部
４１  第２実施例のバリ取り機
４２  ストッパー兼用受部材
４２ａ受部
４２ｂ縁部
４３  バッテリーインパクト（電動回転レンチ）
４４  回動部
【図１】
0003204726.tif 000003
【図２】
0003204726.tif 000004
【図３】
0003204726.tif 000005
【図４】
0003204726.tif 000006
【図５】
0003204726.tif 000007
【図６】
0003204726.tif 000008
【図７】
0003204726.tif 000009
【図８】
0003204726.tif 000010
【図９】
0003204726.tif 000011
【図１０】
0003204726.tif 000012